(57)【要約】【課題】棒体の先端部にその周囲に向けて薬液を塗布することができるように薬液塗布部を取り付け、婦人の膣内のような患部に十分な量の薬液を素早く塗布することができるようにする。【解決手段】スポンジ製のシート２１の片側半面と他側半面内にそれぞれ接続体４１，４２を固着しておき、シート２１を二つ折りして両接続体４１，４２を接続して薬液塗布部２を形成するとともに、棒体３の先端部に設けた接続部３１に両接続体４１，４２の端部を接続して、棒体３の先端に薬液塗布部２を固定する。【選択図】図１
2019000281.tif 000002
【特許請求の範囲】
【請求項１】
板状の吸水部材を二つ折りしてなる薬液塗布部が、前記二つ折りに重なった部分を棒体の先端部に固定して取り付けられた構成を有する薬液塗布具。
【請求項２】
吸水部材の片側半面と他側半面内にそれぞれ固着された接続体同士を重ね合わせて吸水部材が二つ折りされているとともに、重ね合わせた両接続体が棒体の先端部に設けられた接続部に接続されて吸水部材が棒体に固定された構成を有する請求項１に記載の薬液塗布具。
【請求項３】
吸水部材の片側半面内に固着された接続体と、棒体の先端に形成されていて前記吸水部材の他側半面内に固着された接続片を重ね合わせて吸水部材が二つ折りされているとともに、前記接続体と接続片の何れか一方に設けられた係合突部と何れか他方に設けられた係合凹部が互いに係合して接続片に接続体が連結された構成を有することを特徴とする請求項１に記載の薬液塗布具。
【請求項４】
吸水部材の片側半面内に固着された接続体と、棒体の先端に形成されていて前記吸水部材の他側半面内に固着された接続片を重ね合わせて吸水部材が二つ折りされているとともに、前記接続体に設けられた係合部を棒体に設けられた被係合部に係合して接続片に接続体が連結された構成を有することを特徴とする請求項１に記載の薬液塗布具。
【請求項５】
吸水部材としてスポンジ製のシートを用いた請求項１から４の何れかに記載の薬液塗布具。
【発明の詳細な説明】
【技術分野】
【０００１】
本発明は、消毒液その他液状の薬剤や化粧液などの薬液を体に塗布する際に用いられる薬液塗布具に関する。
【背景技術】
【０００２】
従来の薬液塗布具として、例えば図１７に示されるように、棒体１０１の先端部に形成された半円状の固着片部１０１ａの下面に、円盤形に加工されたスポンジからなる薬液塗布部１０２を一体に固着して形成されたものが知られている（例えば特許文献１参照）。
【先行技術文献】
【特許文献】
【０００３】
【特許文献１】特開２０１１−１５６０２４号公報
【発明の概要】
【発明が解決しようとする課題】
【０００４】
図示した薬液塗布具１００は、薬液塗布部１０２に薬液を十分に浸した状態で、棒体１０１を持ちながら薬液塗布部１０２を患部に押し当てて処置がなされ、患部に薬液が塗られていく様子を目視により確認することができて、薬液の塗布に便宜な形態のものといえる。
【０００５】
しかし、このものでは、棒体１０１先端の固着片部１０１ａの下面に薬液塗布部１０２が取り付けられているため、棒体１０１で薬液塗布部１０２を押し付ける方向にしか薬液を塗布することができない。例えば婦人の膣内のような患部を消毒したり薬液を塗布したりする処置には利用することができないという問題がある。
【０００６】
前記のような患部に薬液を塗布する手段として綿棒の使用が考えられるが、綿棒では薬液の含浸量が極めて少ないので、一回の処置には薬液を含浸させた複数本の綿棒が必要となる。複数本の綿棒を使って薬液の塗布を患部に繰り返し行ったのでは、処置に時間がかかるとともに患者が受けるストレスも大きなものとなってしまう。
【０００７】
本発明は従来の技術の有するこのような問題点に鑑み、棒体の先端部にその周囲に向けて薬液を塗布することができるように薬液塗布部を取り付け、婦人の膣内のような患部に十分な量の薬液を素早く塗布することができるようにすることを課題とする。
【課題を解決するための手段】
【０００８】
前記課題を解決するため本発明の薬液塗布具は、板状の吸水部材を二つ折りしてなる薬液塗布部が、前記二つ折りに重なった部分を棒体の先端部に固定して取り付けられた構成を有することを特徴とする。
【０００９】
これによれば、薬液塗布部の二つ折りされた吸水部材の前後両面が薬液塗布面となるので、前記の如き患部に対して、片手で棒体を持って操作しながら、薬液を浸み込ませた薬液塗布部を患部部分に差し入れることで、十分な量の薬液を素早く塗布することができ、患者に何らのストレスを与えることなく処置を行える。
【００１０】
前記構成の薬液塗布具は、吸水部材の片側半面と他側半面内にそれぞれ固着された接続体同士を重ね合わせて吸水部材が二つ折りされているとともに、重ね合わせた両接続体が棒体の先端部に設けられた接続部に接続されて吸水部材が棒体に固定された形態に設けることができる。
【００１１】
また、前記構成の薬液塗布具は、吸水部材の片側半面内に固着された接続体と、棒体の先端に形成されていて前記吸水部材の他側半面内に固着された接続片を重ね合わせて吸水部材が二つ折りされているとともに、前記接続体と接続片の何れか一方に設けられた係合突部と何れか他方に設けられた係合凹部が互いに係合して接続片に接続体が連結された形態に設けることができる。
【００１２】
或いは、吸水部材の片側半面内に固着された接続体と、棒体の先端に形成されていて前記吸水部材の他側半面内に固着された接続片を重ね合わせて吸水部材が二つ折りされているとともに、前記接続体に設けられた係合部を棒体に設けられた被係合部に係合して接続片に接続体が連結された形態に設けることができる。
【００１３】
前記構成の薬液塗布具において、薬液塗布部を構成する吸水部材は、吸水性及び保水性に優れた材料、例えばＯＨ基を有するセルロースを主成分とするスポンジを用いて形成することができる。親水基であるＯＨ基を有するセルロースを主成分とするスポンジを用いれば、薬液、特に水溶液からなる薬液（例えばポビドンヨード液など）となじみ易く、薬液を吸収し保持し得る量、すなわち抱液可能量を高めることができる。しかも、薬液を含んだウェット状態になると表面が柔らかくなり、柔らかい感触で患部に塗布することができる。ポリビニルアルコール（ＰＶＡ）を原料とするスポンジを用いて形成してもよい。
前記スポンジは、例えば強度を高めるために、母材繊維であるセルロースに補強繊維を含んでいてもよい。補強繊維としては、綿（コットン）や亜麻、ラミー、パルプなどを単独またはそれらを組合せて使用することができる。
また、スポンジ以外の吸水性及び保水性に優れた他の材料、例えば適宜な厚みで板状に編み込んだ不織布などで吸水部材を形成してもよい。
【００１４】
前記スポンジの製造方法は特に限定されないが、一例としては、木材などからのチップを溶解して繊維素とし、これを水酸化ナトリウムなどのアルカリで処理してから二硫化炭素などを添加してビスコースを作製し、このビスコースに硫酸ナトリウム（芒硝）からなる微小芒硝結晶を混合し、シート状あるいはブロック状に成型し、煮沸及び酸凝固させて微小芒硝結晶を溶出させて多孔質化させ、水洗、乾燥、さらには厚み方向に加圧して圧縮させることによって得る方法が挙げられる。
【００１５】
薬液塗布部を構成する吸水部材は扁平な板状に形成されるが、その大きさや厚みは特に限定されず、薬液を塗布する患部などの使用態様に応じて適宜に設定することができる。
例えば婦人の陰部に薬液を塗布する使用態様にあっては、縦横が４０ｍｍ×８０ｍｍ、厚さが１０ｍｍ程度の寸法の矩形板状の吸水部材を用い、これを二つ折りして棒体の先端部に取り付けることで薬液塗布部を形成することができる。
【００１６】
薬液塗布部が先端に取り付けられる棒体は、合成樹脂製であれば、その材質は特に限定されず、ポリプロピレン、ポリエチレン、ポリスチレンなどを用いて、片手で把持可能な太さで適宜な長さに形成することができる。
前記薬液塗布部のシートに固着される接続体も、棒体と同素材の樹脂を用いて形成することができる。
【００１７】
薬液塗布部を構成する吸水部材がスポンジ製のシートである場合、これに接続体、又は棒体の先端に形成された接続片を固着する手段は、接続体や棒体の接続片を構成する樹脂を溶融させるなどして、それぞれの部材の構成樹脂の一部を吸水部材の内部空隙孔内に滲入させ、これが冷却固化して物理的に係合することにより固着することが好ましく、具体的には、例えばインサート成形や熱融着により固着することが好ましい。
【００１８】
より具体的には、インサート品としてのスポンジ製の吸水部材を金型内に装填して固定し、接続体又は棒体を形成する溶融樹脂を、前記吸水部材の表面に射出するようにして接続体又は棒体を成形すると同時に、吸水部材に接続体又は棒体の接続片が一体に固着するように成形することができる。
【００１９】
また、スポンジ製の吸水部材の片側半面に接続体をそれぞれ固着する形態にあっては、前記インサート成形により吸水部材に接続体を固着した後、この吸水部材を二つ折りして金型内に装填して固定し、２次インサート成形によって接続体の重なり部に溶融樹脂を射出し、棒体を成形すると同時に棒体の先端部に前記接続体が固着された吸水部材が一体に固着するように成形することができる。
【図面の簡単な説明】
【００２０】
【図１】本発明の一実施形態の薬液塗布具の外観図である。
【図２】図１の薬液塗布具の正面図（Ａ）と側面図（Ｂ）である。
【図３】図１の薬液塗布具の薬液塗布部の構成を示す内面図（Ｂ）と要部破断側面図（Ｂ）である。
【図４】図１の薬液塗布具の棒体の正面図（Ａ）と側面図（Ｂ）である。
【図５】図１の薬液塗布具の先端部分の要部破断拡大図である。
【図６】第２実施形態の薬液塗布具の薬液塗布部の構成を示す内面図（Ａ）と側面図（Ｂ）である。
【図７】第２実施形態の薬液塗布具の棒体先端部分を、薬液塗布部を分離して示した要部破断拡大図である。
【図８】第３実施形態の薬液塗布具の薬液塗布部の構成を示す内面図（Ａ）と側面図（Ｂ）である。
【図９】第３実施形態の薬液塗布具の棒体先端部分の薬液塗布部の接続構造を示した要部破断拡大図である。
【図１０】第４実施形態の薬液塗布具の薬液塗布部の構成を示す内面図（Ａ）と側面図（Ｂ）である。
【図１１】第４実施形態の薬液塗布具の棒体先端部分の薬液塗布部の接続構造を示した要部破断拡大図である。
【図１２】第５実施形態の薬液塗布具の薬液塗布部と棒体の構成を示す内面図（Ａ）と要部破断側面図（Ｂ）である。
【図１３】第６実施形態の薬液塗布具の薬液塗布部と棒体の構成を示す内面図（Ａ）と要部破断側面図（Ｂ）である。
【図１４】第７実施形態の薬液塗布具の薬液塗布部と棒体の構成を示す内面図（Ａ）と要部破断側面図（Ｂ）である。
【図１５】第８実施形態の薬液塗布具の薬液塗布部と棒体の構成を示す内面図（Ａ）と要部破断側面図（Ｂ）である。
【図１６】第９実施形態の薬液塗布具の薬液塗布部と棒体の構成を示す内面図（Ａ）と側面図（Ｂ）である。
【図１７】従来の薬液塗布具の外観図（Ａ）と使用状態図（Ｂ）である。
【発明を実施するための形態】
【００２１】
本発明の好適な実施の形態を、図面を参照して説明する。
図１及び図２は本発明の一実施形態の薬液塗布具の外観を示しており、この薬液塗布具１は、吸水部材としてスポンジ製のシート２１を用いたものであり、このシート２１を二つ折りしてなる薬液塗布部２を、片手で把持可能な太さと適宜な長さを有する棒体３の先端部に、前記二つ折りに重なった部分を一体に固定して形成してある。
【００２２】
詳しくは、薬液塗布具１の薬液塗布部２は、平面視矩形状を呈する扁平板状のスポンジ製のシート２１により形成されており、図３に示されるように、その内面の片側半面と他側半面内に、棒体３と同材質の樹脂製の接続体４１，４２がインサート成形により固着してある。
接続体４１，４２は、その面内に、後述する棒体３の接続部３１が嵌入し、且つ接続部３１内の孔部３１ａに挿通する凹凸部を設けて形成してある。
【００２３】
棒体３は、図３に示されるように、円形断面を有して適宜な長さ及び片手で把持可能な太さに形成され、その先端部には前記接続体４１，４２が接続する鍔状の接続部３１を一体に設けてある。接続部３１の面内には孔部３１ａを形成してある。
【００２４】
本形態の薬液塗布具１は、前記シート２１に接続体４１，４２を固着する工程と、接続体４１，４２が固着されたシート２１を二つ折りして接続体４１，４２同士を重ね合わせるとともに、これを棒体３の接続部３１に固定して棒体３の先端に薬液塗布部２を取り付ける工程を経て製造することができる。
【００２５】
すなわち、先ず、インサート品としてのシート２１を金型内に装填して固定し、接続体４１，４２を形成する溶融樹脂をシート２１の表面に射出して、図３に示されるように。シート２１の表面に接続体４１，４２を成形すると同時に固着する。一方、棒体３はこれとは別に成形しておく。
次いで、図５に示されるように、前記シート２１を二つ折りするとともに、棒体３の接続部３１が挟まるようにして接続部３１の両側から接続体４１，４２を重ね合わせ、この状態で接続体４１，４２と接続部３１の接合部を熱溶着して両部材を固着することで、棒体３の先端部に薬液塗布部２を一体に固定することができる。
【００２６】
或いは、前記インサート成形によりシート２１の表面で接続体４１，４１を成形して一体に固着した後、このシート２１を二つ折りして金型内に装填して固定し、２次インサート成形によって接続体４１，４２の重なり部に溶融樹脂を射出し、棒体３を成形すると同時に棒体３の接続部３１に前記接続体４１，４２を固着することで、棒体３の先端部に薬液塗布部２が一体に固定されるように加工してもよい。
【００２７】
図６から図１１は本発明の第２から第４実施形態の薬液塗布具１を各々示しており、これらはシート２１に接続体４１，４２が固着された薬液塗布部２と棒体３を別々に形成しておき、棒体３の先端部に設けた接続部３１に接続体４１，４２を機械的に接続して、棒体３の先端部に薬液塗布部２が一体に固定されるようにした構造のものである。なお、シート２１に接続体４１，４２がインサート成形により固着されることは前記と同様である。
【００２８】
図６及び図７に示された第２実施形態の薬液塗布具１は、接続体４１，４２の端部に両接続体４１，４２を重ね合わせた状態で雄ネジとなる凸部４１ａ，４２ａをそれぞれ形成し、一方、棒体３の先端部には、内周に雌ネジとなる溝条が形成されていて前記接続体４１，４２の重合端部が挿入する接続部３１を形成しておき、図６に示されるシート２１を二つ折りして接続体４１，４２を重ね合わせた状態で接続体４１，４２の端部を棒体３の接続部３１にネジ入れて螺合接続することで、棒体３の先端部に薬液塗布部２が一体に固定されるように構成したものである。
【００２９】
図８及び図９に示された第３実施形態の薬液塗布具１は、接続体４１，４２の端部に先端が外方へ突出した爪部４１ｂ，４２ｂをそれぞれ形成し、一方、棒体３の先端部には、前記接続体４１，４２の重合端部が挿入し且つ爪部４１ｂ，４２ｂが係合する凹所を有する接続部３１を形成しておき、図８に示されるシート２１を二つ折りして接続体４１，４２を重ね合わせた状態で接続体４１，４２の端部を棒体３の接続部３１に押入れ、爪部４１ｂ，４２ｂを接続部３１内の凹所に係合させて接続することで、棒体３の先端部に薬液塗布部２が一体に固定されるように構成したものである。
【００３０】
図１０及び図１１に示された第４実施形態の薬液塗布具１は、接続体４１，４２の端部に孔部４１ｃ，４２ｃをそれぞれ形成し、一方、棒体３の先端部には、前記接続体４１，４２の重合端部が挿入する接続部３１とともに別体のピン４３が挿入する通孔３１ｂを形成しておき、図１０に示されるシート２１を二つ折りして接続体４１，４２を重ね合わせた状態で接続体４１，４２の端部を棒体３の接続部３１に挿入し、通孔３１ｂに通したピン４３を前記接続体４１，４２の孔部４１ｃ，４２ｃに貫通し、留め付けて接続することで、棒体３の先端部に薬液塗布部２が一体に固定されるように構成したものである。
【００３１】
図１２から図１４は本発明の第５から第７実施形態の薬液塗布具１を各々示しており、これらはシート２１の片側半面内に接続体４、他側半面内に棒体３の先端部に形成された接続片３２をそれぞれ固着し、シート２１を二つ折りしたときに、接続体４と接続片３２の重合面内に形成された係合突部と係合凹部が互いに係合させて両部材が連結することで、棒体３の先端部に薬液塗布部２が一体に固定されるようにした構造のものである。なお、これらの場合、インサート成形により、シート２１の表面での接続体４及び棒体３の成形と、両部材のシート２１への固着が同時に行われる。
【００３２】
図１２に示された第５実施形態の薬液塗布具１は、接続体４の面内に先端が爪状の係合突部４ａ、棒体３の接続片３２の面内に係合凹部３２ａをそれぞれ形成し、シート２１を二つ折りして接続片３２に接続体４を重ね合わせ、係合突部４ａを係合凹部３２ａに係合して両部材を連結することで、棒体３の先端部に薬液塗布部２が一体に固定されるように構成したものである。
【００３３】
図１３に示された第６実施形態の薬液塗布具１は、接続体４の面内に先端が圧入突起からなる係合突部４ａ、棒体３の接続片３２の面内に係合凹部３２ａをそれぞれ形成し、シート２１を二つ折りして接続片３２に接続体４を重ね合わせ、係合突部４ａを係合凹部３２ａ内に圧入し係合させて両部材を連結することで、棒体３の先端部に薬液塗布部２が一体に固定されるように構成したものである。
【００３４】
図１４に示された第７実施形態の薬液塗布具１は、接続体４の面内に外周に突条を有する係合突部４ａ、棒体３の接続片３２の面内に内周に溝条を有する係合凹部３２ａをそれぞれ形成し、シート２１を二つ折りして接続片３２に接続体４を重ね合わせ、係合突部４ａ外周の突条を係合凹部３２ａ内周の溝条にねじ入れて係合し、両部材を連結することで、棒体３の先端部に薬液塗布部２が一体に固定されるように構成したものである。
【００３５】
図１５と図１６は本発明の第８実施形態と第９実施形態の薬液塗布具１をそれぞれ示しており、これらはシート２１の片側半面内に接続体４、他側半面内に棒体３の先端部に形成された接続片３２をそれぞれ固着し、シート２１を二つ折りしたときに、接続体４に設けた係合部を棒体３に設けた被係合部に係合させて両部材が連結することで、棒体３の先端部に薬液塗布部２が一体に固定されるようにした構造のものである。なお、シート２１に接続体４と棒体３がインサート成形により固着されることは前記と同様である。
【００３６】
図１５に示された第８実施形態の薬液塗布具１は、接続体４の端部に、左右に割れた先端に鍵状に折れた係合部４ｂ、棒体３の接続片３２よりも下方の軸部に係合部４ｂが係合する凹状の被係合部３３をそれぞれ形成し、シート２１を二つ折りして接続片３２に接続体４を重ね合わせ、係合部４ｂを被係合部３３に係合して両部材を連結することで、棒体３の先端部に薬液塗布部２が一体に固定されるように構成したものである。
【００３７】
図１６に示された第９実施形態の薬液塗布具１は、接続体４の端部に棒体の外周に装着し得るように屈曲した係合部４ｃを形成し、シート２１を二つ折りして接続片３２に接続体４を重ね合わせ、係合部４ｃを棒体３の外周に装着して係合することで、棒体３の先端部に薬液塗布部２が一体に固定されるように構成したものである。
【００３８】
これら何れの形態の薬液塗布具１にあっても、薬液塗布部２の二つ折りされたシート２１の前後両面が薬液塗布面となるので、患部に対して、片手で棒体３を持って操作し、薬液を浸み込ませた薬液塗布部３を患部部分に押し当てたり差し入れたりすることで、十分な量の薬液を素早く塗布することができ、患者に何らのストレスを与えることなく処置することが可能である。
【００３９】
なお、図示した薬液塗布具１の形態は一例であり、本発明はこれらの形態に限定されず、他の適宜な形態で構成することが可能である。図示した形態では、吸水部材としてスポンジ製のシートを用いたが、吸水性や保水性に優れた他の部材を用いてもよい。
【符号の説明】
【００４０】
１  薬液塗布具、２  薬液塗布部、２１  シート、３  棒体、３１  接続部、３２  接続片、３２ａ  係合凹部、３３  被係合部、４，４１，４２  接続体、４ａ  係合突部、４ｂ，４ｃ  係合部
【図１】
2019000281.tif 000003
【図２】
2019000281.tif 000004
【図３】
2019000281.tif 000005
【図４】
2019000281.tif 000006
【図５】
2019000281.tif 000007
【図６】
2019000281.tif 000008
【図７】
2019000281.tif 000009
【図８】
2019000281.tif 000010
【図９】
2019000281.tif 000011
【図１０】
2019000281.tif 000012
【図１１】
2019000281.tif 000013
【図１２】
2019000281.tif 000014
【図１３】
2019000281.tif 000015
【図１４】
2019000281.tif 000016
【図１５】
2019000281.tif 000017
【図１６】
2019000281.tif 000018
【図１７】
2019000281.tif 000019